(57)【要約】【課題】金属インサート部材の金属部分が流体に接することがなく、衛生面及び施工性に優れた管継手を提供する。【解決手段】合成樹脂製の管継手本体の一方の開口部４に、端部外側にねじ部３を有する筒状の金属製のインサート部材２が一体に形成されてなる管継手において、金属製インサート部材２の流路内面から連続した端面及び端部外側のねじ部３先端部までが、管継手本体１を構成する合成樹脂１ａで覆われている、好ましくは、インサート部材２のねじ部を有する側の開口端面部は、被覆樹脂とインサート部材が凹凸勘合されてなる。【選択図】  図１
2004293587.tif 000002
【特許請求の範囲】
【請求項１】
合成樹脂製の管継手本体の一方の開口部に、端部外側にねじ部を有する筒状の金属製のインサート部材が一体に形成されてなる管継手において、金属製インサート部材の流路内面から連続した端面及び端部外側のねじ部先端部までが、管継手本体を構成する合成樹脂で覆われていることを特徴とする管継手。
【請求項２】
金属製インサート部材のねじ部を有する側の開口端面部は、被覆樹脂とインサート部材が凹凸勘合されてなることを特徴とする請求項１記載の管継手。
【発明の詳細な説明】
【０００１】
【発明の属する技術分野】
本発明は、合成樹脂管と金属管を接続する管継手に関する。
【０００２】
【従来の技術】
従来この種の異種管接続用の管継手としては、例えば特許文献１に開示された金属製インサート付き合成樹脂製管継手がある。同管継手は、図５に示すように、金属製インサート２の雄ねじ部分３を合成樹脂製の管継手本体１の一方の開口端部４から突出させて合成樹脂製の管継手本体１に金属製インサート２を埋設して一体に形成してあり、管継手本体１の上記境界部分６の環状端部８がインサート２側の奥部に斜めに食い込んだ構造となっている。そのことにより、インサート２と合成樹脂製の管継手本体１との境界部分からの漏水発生を防止している。インサート２の埋設部分５の外側面５ｂ及び内側面５ａには、合成樹脂製の管継手本体１との密着性を向上させるための凹凸を有し、かつ外側面５ｂの外周面には不図示のアヤ目ローレット表面加工が施されている。ところが、上記インサート２の流路内面は合成樹脂で被覆されていないので、インサート２の金属表面が接液する構造である。
【０００３】
一般に、上記金属製インサート部材は、青銅、黄銅等の銅合金を鋳造又は鍛造し、切削加工、研磨加工等で形状を整え、ニッケルクロムめっき等を施して製造されている。また、製造過程中での切削加工の際に銅合金の切削性を向上させるために、銅合金中に鉛が添加されている場合が多い。
【０００４】
このため、上記の金属製インサート部材の内面などの金属部分が飲料水などに接触すると、金属部材に含まれる成分が溶出し、特に金属表面に偏在する鉛成分など人体への悪影響が懸念されるものも含めて、衛生面での問題が指摘されている。
【０００５】
上記鉛溶出の問題については、水道法などによる基準改訂の動きもあり、更なる改善が要望されている。
【０００６】
また、上記インサート部材の端部外側の雄ねじ部分については、飲料水などとの接触を防止し、止水性を確保するために、通常接続時にはシールテープを３〜４周巻いて施工されるため、施工に多くの工数がかかるし、施工者によるバラツキが出るという問題もあった。
【０００７】
【特許文献１】
特許第３２４１０８３号公報（特許請求の範囲、図１）
【０００８】
【発明が解決しようとする課題】
本発明の目的は、上記従来の管継手の問題点に鑑み、インサート部材の金属部分が流体に接することがなく、衛生面及び施工性に優れた管継手を提供することにある。
【０００９】
【課題を解決するための手段】
請求項１記載の管継手は、合成樹脂製の管継手本体の一方の開口部に、端部外側にねじ部を有する筒状の金属製のインサート部材が一体に形成されてなる管継手において、金属製インサート部材の流路内面から連続した端面及び端部外側のねじ部先端部までが、管継手本体を構成する合成樹脂で覆われていることを特徴とする。
請求項２記載の管継手は、請求項１記載の管継手であって、インサート部材のねじ部を有する側の開口端面部は、被覆樹脂とインサート部材が凹凸勘合されてなることを特徴とする。
【００１０】
（作用）
本発明の管継手によれば、上記のように金属製インサート部材の内面が管継手本体を構成する合成樹脂で覆われ、更にインサート部材の端部外側のねじ部先端部まで合成樹脂で覆われていることを特徴とするので、飲料水などの流体が上記インサート部材の金属部と接触することを防止することができ、衛生面に優れたものとなる。また、インサート部材の端部外側のねじ部先端部まで合成樹脂で覆われているので、先端部の合成樹脂がシール機能を発揮することができ、接続時にねじ部にシールテープなどを巻く必要がなく、施工性に優れ施工によるバラツキも無いものとなる。
【００１１】
上記管継手が、インサート部材のねじ部を有する側の開口端面部は、被覆樹脂とインサート部材が凹凸勘合されてなる場合には、被覆された合成樹脂が剥離し難くなるため、上記効果はさらに確実なものとなる。
【００１２】
【発明の実施の形態】
以下、本発明の実施の形態について、実施例を示しつつ図面に基づいて説明する。図１は本発明の管継手の第１実施例を示す模式断面図であり、図３はインサート部材の内面部およびねじ部を説明する拡大断面図ある。なお、図５の従来の管継手と同一または相当する部分には同一符号を付与している。
【００１３】
第１実施例の管継手は、図１に示すように、合成樹脂（塩化ビニル系樹脂）製の管継手本体１の一方の開口部４に、端部外側に雄ねじ部分３を有する金属製インサート２を埋設し一体に形成（射出成形）してある。金属製インサート２の埋設部分５の外側面５ａと内側面１０には、合成樹脂製の管継手本体１との密着性を向上させるための凹凸（不図示）を有し、かつ外側面５ａの外周面にはアヤ目ローレット表面加工（不図示）が施してある。
【００１４】
そして、図３に示すように、金属製インサート２の内側面１０は管継手本体１を構成する合成樹脂１ａ（塩化ビニル系樹脂）で覆われ、更に金属製インサート２の開口端部から端部外側の雄ねじ部分３（テーパねじ）の先端部３ａまで連続して合成樹脂１ａで覆われている。雄ねじ部分３の樹脂被覆は、ねじ形状表面に沿って被覆されていても、ねじ部を埋めるように被覆されていてもよい。管接続時のシール性を考慮すれば、後者の方がより好ましい。
【００１５】
上記の構成により、金属管を接続した時でも金属製インサート２の金属部が飲料水などの流体と接触することがなく、また、雄ねじ部分３の先端部３ａの合成樹脂１ａがシール機能を発揮することができる。このため、接続時に雄ねじ部分３にシールテープなどを別途巻く必要がない。
【００１６】
図２は他の実施例の構成を示す模式断面図であり、前記実施例と同一または相当する部分は同一符号で示し重複説明を省略する。
【００１７】
図２に示す第２実施例では、合成樹脂（塩化ビニル系樹脂）製の管継手本体１の外側に凸部１ｂを有する一方の開口部４に、端部外側に雄ねじ部分３を有する金属製インサート２を、管継手本体１の凸部１ｂを覆うように金属製インサート２を配置し一体に形成（射出成形）してある。金属製インサート２の埋設部分５の外側面５ａと内側面５ｂと内側面１０には、合成樹脂製の管継手本体１との密着性を向上させるための凹凸（不図示）を有し、かつ外側面５ａと内側面１０の外周面にはアヤ目ローレット表面加工（不図示）が施してある。
【００１８】
そして、図３に示すように、金属製インサート２の内側面１０は管継手本体１を構成する合成樹脂１ａ（塩化ビニル系樹脂）で覆われ、更に金属製インサート２の端部外側の雄ねじ部分３（テーパねじ）の先端部３ａまで連続して合成樹脂１ａで覆われている。
【００１９】
上記の構成により、合成樹脂製の管継手本体１に埋設する金属製インサート２における金属部が飲料水などの流体と接触することがなく、また、雄ねじ部分３の先端部３ａの合成樹脂１ａがシール機能を発揮することができる。更に、管継手本体１の凸部１ｂが金属製インサート２の動きを強固に固定するので、金属製インサートと合成樹脂製管継手本体の熱膨張率に起因する流体からの熱の影響や流体圧力の繰り返しなどに対しての耐性が向上し、漏水発生を防止する。
【００２０】
更に、図４は他の実施例を示す金属製インサート部材の内面部およびねじ部の拡大断面図である。
【００２１】
図４に示す第３実施例では、金属製インサート２の雄ねじ部分３を有する側の開口端部１１に溝部１２が蟻溝状に設けられ、金属製インサート２の内面１０は管継手本体１を構成する合成樹脂１ａで覆われ、更に金属製インサート２の端部外側の雄ねじ部分３の先端部３ａまで合成樹脂１ａで連続して覆われ、上記溝部１２には合成樹脂１ａが食い込んで覆われている。
【００２２】
上記の構成により、合成樹脂１ａと、合成樹脂１ａで覆われた金属製インサート２の金属部分とが更に強固に固定され、流体からの熱の影響や流体圧力の繰り返しなどに対しての耐性が更に向上する。
【００２３】
上記溝部１２は、複数設けられてもよく、またインサート２の開口端部１１の内面側や端面側など任意の位置に設けられてもよい。更に溝部１２の形状は、特に限定されないが、例えば蟻溝状のように内部に斜めに食い込んだ形状であることがより好ましい。また溝部に代えて、突起であってもよい。
【００２４】
【発明の効果】
本発明の管継手は、合成樹脂製の管継手本体の一方の開口部に、端部外側にねじ部を有する筒状の金属製のインサート部材が一体に形成されてなる管継手において、金属製インサート部材の流路内面から連続した端面及び端部外側のねじ部先端部までが、管継手本体を構成する合成樹脂で覆われていることを特徴とするので、インサート部材の金属部分が流体に接することがなく、衛生面に優れた管継手を提供することができるとともに、接続時にねじ部に別途シールテープなどを巻く必要がなく、施工性に優れたものとなる。
【００２５】
このため、例えば飲料水などに用いられた場合に、インサートの金属部材に含まれる成分が溶出し、特に鉛成分など人体への悪影響が懸念される成分の溶出を防止することが可能となる。
【００２６】
上記管継手が、インサート部材のねじ部を有する側の開口端面部は、被覆樹脂とインサート部材が凹凸勘合されてなる場合には、上記効果はさらに確実なものとなる。
【００２７】
【図面の簡単な説明】
【図１】本発明の管継手の一例を示す模式断面図である。
【図２】本発明の管継手の他の一例を示す模式断面図である。
【図３】金属製インサート部材の内面部およびねじ部の一例を示す部分拡大断面図ある。
【図４】金属製インサート部材の内面部およびねじ部の他の一例を示す部分拡大断面図ある。
【図５】従来の管継手の一例を示す模式断面図である。
【符号の説明】
１  管継手本体
１ａ  合成樹脂
１ｂ  凸部
２  金属製インサート
３  雄ねじ部分
３ａ  先端部
４  開口部
５  埋設部分
５ａ  外側面
１０  内側面
１１  開口端部
１２  溝部
【図１】
2004293587.tif 000003
【図２】
2004293587.tif 000004
【図３】
2004293587.tif 000005
【図４】
2004293587.tif 000006
【図５】
2004293587.tif 000007